【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
スプレー容器に配設され、倒立状態でも正立状態でも容器本体内の液状物を吸引してノズル部材に供給する吸引パイプ装置であって、
該吸引パイプ装置は、パイプと、該パイプの上端部に装着された液供給用逆止弁とからなり、
該液供給用逆止弁は、二つの管路と、該二つの管路を集合させる管路を有し、
上記二つの管路のうちの一方の管路は弁室を有しており、該弁室の内部にはボール弁体が配設されていると共に、該弁室の側面には容器本体内と通じる通液孔が形成されており、該弁室の天面にはインテイクの外気導入孔と通じる外気導入孔が形成されており、
スプレー容器の正立状態においては、上記ボール弁体によって弁室が閉塞されると共に、上記パイプの下端部から液状物が前記液供給用逆止弁内に吸引されてノズル部材に供給され、
スプレー容器の倒立状態においては、前記通液孔を通して当該液供給用逆止弁内に液状物が吸引され、上記ボール弁体によって上記弁室の外気導入孔を閉じると共に、上記容器本体内の液状物の液圧で液状物の逆流を防ぎ、
且つ上記インテイクの外気導入孔と上記弁室の外気導入孔及び通液孔を通じて外気が容器本体内に流入して、容器本体の変形が防止されることを特徴とする吸引パイプ装置。
【請求項２】
上記インテイクの外気導入孔には外気導入用逆止弁が設けられており、スプレー容器の倒立状態において、上記外気導入用逆止弁と上記ボール弁体は、外気を流入できる程度に開いて各外気導入孔を通じた液状物の洩れを押さえつつ、容器本体の変形を防止する請求項１記載の吸引パイプ装置。
【手続補正２】
【補正対象書類名】明細書
【補正対象項目名】０００６
【補正方法】変更
【補正の内容】
【０００６】
本発明は、スプレー容器に配設され、倒立状態でも正立状態でも容器本体内の液状物を吸引してノズル部材に供給する吸引パイプ装置であって、該吸引パイプ装置は、パイプと、該パイプの上端部に装着された液供給用逆止弁とからなり、該液供給用逆止弁は、二つの管路と、該二つの管路を集合させる管路を有し、上記二つの管路のうちの一方の管路は弁室を有しており、該弁室の内部にはボール弁体が配設されていると共に、該弁室の側面には容器本体内と通じる通液孔が形成されており、該弁室の天面にはインテイクの外気導入孔と通じる外気導入孔が形成されており、スプレー容器の正立状態においては、上記ボール弁体によって弁室が閉塞されると共に、上記パイプの下端部から液状物が前記液供給用逆止弁内に吸引されてノズル部材に供給され、スプレー容器の倒立状態においては、前記通液孔を通して当該液供給用逆止弁内に液状物が吸引され、上記ボール弁体によって上記弁室の外気導入孔を閉じると共に、上記容器本体内の液状物の液圧で液状物の逆流を防ぎ、且つ上記インテイクの外気導入孔と上記弁室の外気導入孔及び通液孔を通じて外気が容器本体内に流入して、容器本体の変形が防止されることを特徴とする吸引パイプ装置を提供することにより、上記目的を達成したものである。
【手続補正３】
【補正対象書類名】明細書
【補正対象項目名】０００７
【補正方法】変更
【補正の内容】
【０００７】
本発明の吸引パイプ装置が配設されるスプレー容器においては、スプレー容器が正立状態でも倒立状態でも、外気導入用逆止弁やボール弁体によって外気の流入は遮断されるため、液状物の漏れは確実に抑えられている。この状態でトリガーを操作すると、該容器本体内の液状物が、該容器本体内から液状物を吸引する吸引パイプ装置を通じて垂直管路に供給される。そして、更にトリガーを操作すると、水平管路を通じて液状物が外部に噴出される。トリガーの操作に伴って上記容器本体内が負圧となったときには、外気導入用逆止弁ややボール弁体が開き、容器本体内に外気が流入するので、容器本体の変形が抑えられる。また、上記液供給用逆止弁には、上記容器本体内に連通する通液孔が設けられており、当該スプレー容器の倒立状態においては、液供給用逆止弁内に液状物が満たされるので、上記容器本体内の液状物の液圧によって、トリガー操作の際における上記垂直管路内からの液状物の逆流が防止される。
【手続補正４】
【補正対象書類名】明細書
【補正対象項目名】００１４
【補正方法】変更
【補正の内容】
【００１４】
また、上記インテイク１０には、正立状態でも倒立状態でも、外気導入路６ａからの外気の流入を遮断し、上記トリガー７を引いて上記容器本体２内が負圧となったときに上記外気導入孔６ａを通じて上記容器本体２内に外気を流入させる外気導入用逆止弁１３が配設されており、また、インテイク１０には上記容器本体２内から液状物を吸引する吸引パイプ装置２７が配設されている。
【手続補正５】
【補正対象書類名】明細書
【補正対象項目名】００２７
【補正方法】変更
【補正の内容】
【００２７】
筒状部材２４及び２５の互いに連通する管路２４ａ、２５ａは、弁室を形成しており、その内部にはボール弁体２５ｃが配設されている。また、上記弁室の側面には、通液孔２５ｄが形成されており、当該スプレー容器１の倒立状態においては、この通液孔２５ｄから液状物が吸引されるようになしてある。そして、この通液孔２５ｄを通して当該液供給用逆止弁１４内に液状物が吸引されることによって、容器本体２内の液圧で、スプレー容器１の倒立状態におけるトリガー７の操作時における上記垂直管路５からの液状物の逆流を防止できるようになしてある。さらに、上記弁室の天面には、インテイク１０の外気導入孔６ａ，１０ａと通じる外気導入孔２５ｅが形成されている。
【手続補正６】
【補正対象書類名】明細書
【補正対象項目名】００２９
【補正方法】変更
【補正の内容】
【００２９】
上記スプレー容器１は、正立状態のときには、図１に示したように、上記外気導入用逆止弁１３によって上記外気導入孔６ａを通じての外気の流入は遮断されている。この状態で上記トリガー７を操作すると、上記ピストン・シリンダー機構１２が作動して上記垂直管路５内が次第に負圧となり、上記ボール弁体２５ｃによって管路２５ａが閉塞されるとともに、上記パイプ１１の下端部から液状物が吸引され、インテイク１０の管部１０ｄに供給される（図中矢印Ｘ）。更にトリガー７を操作すると、上記垂直管路５、上記水平管路４、上記スピンエレメント８及び上記ノズル部材９を通じて液状物が外部に噴出される。上記トリガー７の操作に伴って上記ピストン部材１５の摺動部１５ａが上記外気導入孔６ａより後方に移動すると、外気導入用逆止弁１３が開き、上記外気導入孔６ａ、外気導入孔１０ａ、外気導入孔２５ｅ、及び通液孔２５ｄを通じて外気が容器本体２内に流入するので、容器本体２の変形が抑えられる。
【手続補正７】
【補正対象書類名】明細書
【補正対象項目名】００３０
【補正方法】変更
【補正の内容】
【００３０】
当該スプレー容器１は、倒立状態のときには、図３に示したように、上記外気導入用逆止弁１３によって上記外気導入孔６ａを通じた容器本体２内への外気の流入が遮断されており、この状態では、上記外気導入孔６ａからの液状物の漏れは確実に抑えられている。また、ボール弁体２５ｃは弁室の外気導入孔２５ｅを閉じている。従って、この状態で上記トリガー７を操作すると、上記ピストン・シリンダー機構１２が作動し、上記垂直管路５内が負圧となって、上記通液孔２５ｄから液状物が吸引され、インテイク１０の管部１０ｄに供給される（図中矢印Ｙ）。この際、垂直管路５からの逆流は、当該容器本体２内の液状物の液圧によって抑えられるので、液供給用逆止弁１４には、上記ボール弁体２５ｃで閉塞される弁のみを設けるだけで済む。そして、更にトリガー７を操作すると、上記垂直管路５、上記水平管路４、上記スピンエレメント８及び上記ノズル部材９を通じて液状物が外部に噴出される。上記トリガー７の操作に伴って上記ピストン部材１５の摺動部１５ａが上記外気導入孔６ａより後方に移動すると、外気導入用逆止弁１３が開いて、上記外気導入孔６ａ、外気導入孔１０ａ、外気導入孔２５ｅ、及び通液孔２５ｄを通じて外気が容器本体２内に流入するので、容器本体２の変形が抑えられる。また、この際、上記外気導入用逆止弁１３と上記ボール弁体２５ｃは、外気を流入できる程度にしか開かないため、上記外気導入孔６ａを通じた液状物の洩れは確実に抑えられる。
【手続補正８】
【補正対象書類名】図面
【補正対象項目名】図１
【補正方法】変更
【補正の内容】
【図１】
2004306034.tif 000001
【手続補正９】
【補正対象書類名】図面
【補正対象項目名】図３
【補正方法】変更
【補正の内容】
【図３】
2004306034.tif 000002